(57)【要約】【課題】電気部品に加える応力が小さく、送風部を本体部に対して傾動することができるヘアドライヤを提供する。【解決手段】ヘアドライヤ１は、モータ３２、本体１０、及び本体１０に回動可能に固定され、エアが吹き出される吹出口２１ａが形成された送風部２０を備える。モータ３２の回転軸と、回動軸とが略同一箇所に配されることで、回動する際の本体１０とモータ３２との相対位置があまり変動せず、電気部品に加える応力が小さく送風部２０を本体１０に対して傾動することができる。【選択図】図１
0003201594.tif 000002
【実用新案登録請求の範囲】
【請求項１】
エアを吸気するファンを駆動するモータと、
前記モータに給電する電気部品を有する第１筐体と、
前記エアが吹き出される吹出口が形成され、前記吹出口の前記第１筐体に対する角度を変更するように前記第１筐体に対して回動軸について回動可能に固定される第２筐体とを備え、
前記モータの回転軸と、前記回動軸とが略同一箇所に配されることを特徴とする、ヘアドライヤ。
【請求項２】
前記第１筐体は、外表面の一側に１の平面に少なくとも３点が接する支持部を有し、
前記回動軸は前記平面に平行であり、
前記吹出口は、前記回動軸に対して前記３つの支持部の逆側に向けられることを特徴とする、請求項１に記載のヘアドライヤ。
【請求項３】
前記第１筐体には、複数の吸気孔が形成され、
前記ファンは、前記複数の吸気孔に近接して前記第１筐体内に支持されることを特徴とする、請求項１又は２に記載のヘアドライヤ。
【請求項４】
前記複数の吸気孔は、前記回動軸の一側及び他側に位置する前記第１筐体の両外面に形成され、
前記ファンは、前記複数の吸気孔が形成された前記両外面にそれぞれ近接して支持されることを特徴とする、請求項３に記載のヘアドライヤ。
【請求項５】
前記第２筐体が前記第１筐体に対して回動可能な角度の中間において前記回動を停止する、前記第１筐体と前記第２筐体との噛合せ部を備えることを特徴とする、請求項１〜４のいずれか１項に記載のヘアドライヤ。
【考案の詳細な説明】
【技術分野】
【０００１】
本考案は、ヘアドライヤに関する。
【背景技術】
【０００２】
ヘアドライヤは、ファンを用いてエアを吸気し、そのエアをヒータを介して送出することで温風を吹き出す。ヘアドライヤは、主に、濡れた頭髪を乾かす、或いは頭髪の形を整える目的において使用される。ここで、ユーザは、一方の手でヘアドライヤの握持部を握ってこれを操作し、吹出口を自身に向けて温風を頭髪に当て、他方の手でブラシ等を握り、これを用いて頭髪全体に温風を当てて頭髪を乾かす、或いは頭髪の形を整える。
【０００３】
ユーザは、場合により両手を用いて頭髪を操って又は両手を自由にして、頭髪に温風を当てることもある。係る場合、ヘアドライヤを固定する必要がある。そこで、特許文献１には、ファン及びヒータを有するハウジングがスイッチを有する握持部に対して傾動可能に固定され、ハウジングを握持部に対して傾動して開いた状態において、ハウジングの後部と握持部の背面とで卓面上に設置することのできるヘアドライヤが開示されている。しかし、ファン及びヒータがハウジングに、スイッチ及びこれに接続する電源コードが握持部に設けられていることで、ハウジングを握持部に対して傾動するとそれら電気部品に応力を加えることとなり、故障の原因となり得る。
【先行技術文献】
【特許文献】
【０００４】
【特許文献１】特開２０１２−５５６４０号公報
【考案の概要】
【考案が解決しようとする課題】
【０００５】
本考案は、電気部品に加える応力が小さく、送風部を本体部に対して傾動することができるヘアドライヤを提供することを課題とする。
【課題を解決するための手段】
【０００６】
本考案のヘアドライヤは、
エアを吸気するファンを駆動するモータと、
前記モータに給電する電気部品を有する第１筐体と、
前記エアが吹き出される吹出口が形成され、前記吹出口の前記第１筐体に対する角度を変更するように前記第１筐体に対して回動軸について回動可能に固定される第２筐体とを備え、
前記モータの回転軸と、前記回動軸とが略同一箇所に配されることを特徴とする。
【０００７】
この特徴によれば、エアが吹き出される吹出口が形成された第２筐体が第１筐体に回動可能に固定され、モータの回転軸と、前記回動軸とが略同一箇所に配されることで、回動する際の第１筐体とモータとの相対位置があまり変動せず、電気部品に加える応力が小さく第２筐体を第１筐体に対して傾動することができる。
【０００８】
本考案のヘアドライヤは、
前記第１筐体は、外表面の一側に１の平面に少なくとも３点が接する支持部を有し、
前記回動軸は前記平面に平行であり、
前記吹出口は、前記回動軸に対して前記３つの支持部の逆側に向けられることを特徴とする。
【０００９】
この特徴によれば、第１筐体が平面に載置されて回動軸を平面の上方に配するとき、第２筐体の吹出口がそのさらに上方に配される。第２筐体の吹出口を上方に向けて、その第２筐体とともに第１筐体を一面上に設置することができる。
【００１０】
本考案のヘアドライヤは、
前記第１筐体には、複数の吸気孔が形成され、
前記ファンは、前記複数の吸気孔に近接して前記第１筐体内に支持されることを特徴とする。
【００１１】
この特徴によれば、ファンは、第１筐体に形成された複数の吸気孔に近接して第１筐体内に支持されていることで、ファンは、複数の吸気孔を介して第１筐体内にエアを吸気し、それにより、吸気されたエアを第２筐体の吹出口から吹出することができる。
【００１２】
本考案のヘアドライヤは、
前記複数の吸気孔は、前記回動軸の一側及び他側に位置する前記第１筐体の両外面に形成され、
前記ファンは、前記複数の吸気孔が形成された前記両外面にそれぞれ近接して支持されることを特徴とする。
【００１３】
この特徴によれば、ファンは、第１筐体の両外面から多くのエアを吸気し、それにより、より多くのエアを第２筐体の吹出口から吹出することができる。また、回動軸の方向に吸気するので、吹出口の向きに依存せずに定量のエアを吹出口から吹出すことができる。
【００１４】
本考案のヘアドライヤは、
前記第２筐体が前記第１筐体に対して回動可能な角度の中間において前記回動を停止する、前記第１筐体と前記第２筐体との噛合せ部を備えることを特徴とする。
【００１５】
この特徴によれば、回動可能な角度の中間の角度に吹出口を向けることができる。エアを吹出す方向を容易に調整できる。
【考案の効果】
【００１６】
本考案のヘアドライヤによれば、電気部品に加える応力が小さく、送風部を本体部に対して傾動することが可能となる。
【図面の簡単な説明】
【００１７】
【図１】図１は、ヘアドライヤの構成を示す図である。
【図２】図２は、畳んだ状態にあるヘアドライヤを示す図である。
【図３】図３は、固定具を示す図である。
【図４】図３は、ヘアドライヤを卓上に設置し、送風部の角度の調整を説明する図である。
【考案を実施するための形態】
【００１８】
本考案の一実施形態について説明する。
【００１９】
図１に、本実施形態に係るヘアドライヤ１の構成を示す。ここで、図１（Ａ）及び図１（Ｂ）は、それぞれ、側面図及び背面図である。ヘアドライヤ１は、本体１０及び送風部２０を備える。なお、後述する吸気部１２の中心軸（図１（Ａ）及び図１（Ｂ）参照）を回動軸Ｌとし、図１（Ａ）おける左側及び図１（Ｂ）における奥側を正面とし、図１（Ａ）における右側及び図１（Ｂ）における手前側を背面とする。
【００２０】
本体（第１筐体）１０は、握持部１１、吸気部１２及びスイッチ１３を含み、ユーザがヘアドライヤ１の操作を行う構成のほとんどを含む。
【００２１】
握持部１１は、ユーザが手でこれを握ることでヘアドライヤ１の全体を支持する部分である。握持部１１は、例えば、絶縁性の合成樹脂を用いて、内部空間を有する略角柱状に成形されている。握持部１１は、その内部空間内に固定されたスイッチ１３を有する。
【００２２】
スイッチ１３は、電源ケーブル１９に接続し、後述するモータ３２、ヒータ（不図示）等の電気部品に通電する。スイッチ１３は、握持部１１の正面側に２つの開口（不図示）を介して突出する押しボタン１３ａ，１３ｂを有する。ユーザは、ボタン１３ａ，１３ｂを押すことで電気部品への通電を操作し、風量（例えば、強風、中風、及び弱風）、温度（例えば、高温、中温、低温（加熱なし））を調整することができる。
【００２３】
吸気部１２は、エアを取り込む部分である。吸気部１２は、例えば、絶縁性の合成樹脂を用いて、握持部１１と一体的に成形されている。吸気部１２は、その両側面にはエアを吸気するための複数の吸気孔１２ａが形成され、正面側には後述する送風部２０の内部空間に向かって開く開口が形成され、背面側の握持部１１に接続する部分には吸気部１２の幅に等しい長さのスタンド１１ａがその長手を図１（Ｂ）における左右方向に向けて固定されている。
【００２４】
スタンド１１ａと握持部１１の基端とは、吸気部１２及び握持部１１（すなわち、本体１０）の背面側に配置されている。スタンド１１ａの両端と握持部１１の基端との三点により本体１０を卓面上に支持することで、後述する送風部２０の吹出口２１ａを上方に向けて、ヘアドライヤ１を卓面上に設置することができる。ただし、スタンド１１ａは両端の２点のみでなく、中間の点も卓面に接する（上記三点を含む平面上に存在する）。このように、支持点は、少なくとも３点を含めば、多数の点、線、面を含んでもよい。
【００２５】
なお、スタンド１１ａに代えて、吸気部１２の背面側に図１（Ｂ）における左右の両側と、握持部１１の基端の背面側と、にそれぞれ凸状の支持部材を設けてもよい。これら吸気部１２及び握持部１１（すなわち、本体１０）の背面側に三点配置される３つの支持部材により、先と同様に、ヘアドライヤ１を卓面上に設置することができる。
【００２６】
なお、スタンド１１ａの両端と握持部１１の基端とを含む一面に対して、回動軸Ｌは平行に配置されている。
【００２７】
吸気部１２は、その内部空間に、２つのファン３1、モータ３２、及びヒータ（不図示）を有する。
【００２８】
２つのファン３1は、エアを吸気するための部材である。２つのファン３1は、回転中心を回転軸上に位置する。回転軸は回動軸Lと同一箇所にある。（以下、「回動軸L」「回転軸L」として回動軸と回転軸とに同一の符号を付するが、同一の箇所である。）回転面を回転軸Ｌに直交して、吸気部１２の２つの側面にそれぞれ近接して吸気部１２内に回転可能に支持されている。
【００２９】
モータ３２は、本体１０と送風部２０が結合する結合部１８の間に固定挟置され、回転軸Lの位置に軸を有する。モータ３２は、スイッチ１３を介して通電されて２つのファン３1を回転する。モータ３２は、配線（不図示）を介してスイッチ１３に電気的に接続されている。回転軸が回動軸Lと同一箇所にあるため、回転軸近傍でモータ３２に接続する配線については、送風部２０が回動する際に発生する応力が小さい。
【００３０】
モータ３２により２つのファン３1が回転することで、２つのファン３1は、それぞれが近接する吸気部１２の側面に設けられた複数の吸気孔１２ａを介して吸気部１２内にエアを吸気する。それにより、吸気部１２及び後述する接続部２２に囲まれる空間の内圧が上がり、吸気されたエアが後述する送風部２０の吹出口２１ａから吹き出される。
【００３１】
なお、本実施形態では、吸気部１２の両側面に複数の吸気孔１２ａを設け、両側面にそれぞれ近接して２つのファン３1を設けることとした。これにより、多くのエアを吸気部１２内に吸気し、多くのエアを送風部２０の吹出口２１ａから吹き出すことができる。ただし、１つのファンにより十分なエアを吸気できる場合、吸気部１２の側面の一方にのみ複数の吸気孔１２ａを設け、この側面に近接して１つのファン３1を設けてもよい。
【００３２】
ヒータ（不図示）は、スイッチ１３を介して通電されることでエアを加熱する。ヒータは、一例として、送風部２０に設けられている。また、送風部２０に近接して吸気部１２内に固定されていてもよい。ヒータは、配線（不図示）を介してスイッチ１３に電気的に接続されている。
【００３３】
送風部（第２筐体）２０は、エアを送風する部分であり、吹出部２１及び接続部２２を有する。
【００３４】
吹出部２１は、例えば、絶縁性の合成樹脂を用いて、略矩形状の断面を有する角筒状に成形されている。先端に、エアが吹き出される吹出口２１ａが形成されている。基端は、後述する接続部２２に接続し、その内側に開口している。後述する接続部２２により送風部２０が本体１０の吸気部１２に固定されることで、吹出部２１の吹出口２１ａは、回動軸Ｌに対して、本体１０の吸気部１２が有するスタンド１１ａの逆側に向けられている。
【００３５】
接続部２２は、送風部２０を、本体１０の吸気部１２に回動可能に固定する。接続部２２は、例えば、絶縁性の合成樹脂を用いて、吹出部２１と一体的に成形されている。接続部２２は、吸気部１２の両側面を除く表面の一部、すなわち図１（Ａ）において吸気部１２の上側半部を覆う形状に成形されている。接続部２２は、これを吸気部１２に、回動軸Ｌについて回動可能に固定するための固定具（図３参照）を有する。
【００３６】
接続部２２は、送風部２０に連接し、仕切部１２ｄに包接している。
【００３７】
仕切部１２ｄは、接続部２２よりも薄く（図１（Ａ）紙面垂直方向の厚みが小さく）形成されている。吸気部１２の２枚の外板の間隔は、仕切部１２ｄの厚みよりやや大きく、本体部の厚みよりもやや小さい。これにより、接続部２２は、仕切部１２ｄが吸気部１２の２枚の外板の間にあり、本体部が吸気部１２の２枚の外板の間に入らない範囲で回動することができる。仕切部１２ｄの形状（本体部と重ならない部分の中心角）によって回動可能な角度が定まる。
【００３８】
図３に固定具を示す。図は、吸気部１２の内部を示す図であり、図１（Ａ）において紙面と平行にヘアドライヤ１の結合部１８を切断した切断面を示す。アーム２２ｂが延伸され、中央の送風部側固定部２２ｃが支持されている。送風部側固定部２２ｃは図における紙面垂直方向に筒状であり、筒の形状として送風部側噛合わせラッチ２２ｄが設けられている。
【００３９】
送風部側固定部２２ｃには、本体側固定部１２ｂが嵌入されている。本体側固定部１２ｂは、吸気部１２（吸気孔１２ａの中にある略円形部）から延伸される柱状体である。本体側固定部には本体側噛合わせラッチ１２ｃが設けられている。本体側噛合わせラッチ１２ｃと送風部側噛合わせラッチ２２ｄが嵌合する位置で、送風部２０（送風部側固定部２２ｃ）が本体１０（本体側固定部１２ｂ）に係止されて回動が停止される。
【００４０】
回動が停止される位置は、送風部側噛合わせラッチ２２ｄの位置によって定まり、本実施形態では、（ａ）図１（Ａ）に示す送風部２０が最も上方を向く角度、（ｂ）図２に示す風部２０が最も下方を向く角度、（ｃ）これら２つの角度の中間の角度であり、ヘアドライヤ１を卓上に設置して使用する角度、である。本実施形態では（ａ）と（ｂ）の角度差を９０度とし、（ｃ）を４５度回動させた（ａ）と（ｂ）の中間とした。これらの角度については任意に設計可能である。また送風部側噛合わせラッチ２２を多く設けて（ｃ）の角度を複数としてもよい。
【００４１】
図４に、ヘアドライヤ１を卓面９０上に設置して使用する場合における、送風部２０の角度調整を示す。ヘアドライヤ１は、送風部２０の吹出口２１ａを上方に向け、本体１０（吸気部１２及び握持部１１）の背面を卓面９０に向けて、スタンド１１ａと握持部１１の基端とにより支持することにより、卓面９０上に設置される。
【００４２】
この状態において、送風部２０を回動軸Ｌについて回動する。このとき、固定具（不図示）の位置決め機構により、送風部２０は３つの角度、すなわち（ａ）送風部２０が最も上方を向く角度であり、ユーザが一方の手でヘアドライヤの握持部１１を握ってこれを操作するのに好適とされる角度、（ｂ）送風部２０が最も下方を向く角度、本実施例では卓面９０に対して平行な角度であり、専らヘアドライヤ１を格納するのに好適とされる角度、及び（ｃ）これら２つの角度の中間の角度であり、ヘアドライヤ１を卓上に設置して使用するのに好適とされる角度、で位置決めされる。
【００４３】
ユーザは、送風部２０を回動して３つの角度のいずれか、特に（ｃ）中間の角度に位置決めし、その状態においてスイッチ１３を用いてヘアドライヤ１を作動する。それにより、ヘアドライヤ１は、卓面９０上に設置された状態で吹出口２１ａからエアを吹き出す。ユーザは、両手のいずれもが自由であることで、エアを頭髪に当てながら、両手を用いて頭髪を操作して効率良く乾かす、或いはヘアスタイルをセットするなど、ハンズフリーでヘアドライヤ１を使用することができる。
【００４４】
以上詳細に説明したように、本実施形態のヘアドライヤ１は、モータの回転軸と、前記回動軸とが略同一箇所に配されることで、回動する際の第１筐体とモータとの相対位置があまり変動せず、電気部品に加える応力が小さく送風部２０を本体１０に対して傾動することができる。
【産業上の利用可能性】
【００４５】
本考案のヘアドライヤは、電気部品に加える応力が小さく、送風部を本体部に対して傾動するのに好適である。多くの個人（特に女性）及びヘアドライヤ生産業者による利用が考えられる。
【符号の説明】
【００４６】
１    ヘアドライヤ
１０    本体
１１    握持部
１１ａ  スタンド
１２    吸気部
１２ａ  吸気孔
１２ｂ  本体側固定部
１２ｃ  本体側噛合わせラッチ
１２ｄ  仕切部
１３    スイッチ
１３ａ  ボタン
１３ｂ  ボタン
１８    結合部
１９    電源ケーブル
２０    送風部
２１    吹出部
２１ａ  吹出口
２２    接続部
２２ｂ  アーム
２２ｃ  送風部側固定部
２２ｄ  送風部側噛合わせラッチ
３１    ファン
３２    モータ
９０    卓面
【図１】
0003201594.tif 000003
【図２】
0003201594.tif 000004
【図３】
0003201594.tif 000005
【図４】
0003201594.tif 000006